(57)【要約】  サーバ装置（１１）は、船舶の装置の状態を特定するセンサ（１３）から取得する装置状態データに基づき、装置の異常を検出する。サーバ装置（１１）は、作業員の職責や船舶内の現在位置等に基づき、異常の初期対処の要請先の作業員を特定し、特定した作業員の端末装置（１２）に対しては、作業要請のための警告画面を送信する。警告画面による要請に応じて作業を受諾した作業員は異常を示している装置に向かい初期対処の作業として異常の原因特定を行い、特定した原因を端末装置（１２）を用いてサーバ装置（１１）に登録する。サーバ装置（１１）は登録された原因に対応する手順データに従い、異常の解決のために要する複数の作業の各々に関し、当該作業を実行可能な職責の作業員を特定し、特定した作業員の端末装置（１２）に作業要請のための警告画面を送信する。その結果、速やかな異常の解決が行われる。
2016098198.tif 000002
【特許請求の範囲】
【請求項１】
船舶に滞在している複数の作業員の各々に関し、当該作業員の職責を示す職責データを取得する職責データ取得手段と、  前記船舶に配置された複数の装置の各々の状態を示す装置状態データを取得する装置状態データ取得手段と、  前記装置状態データが前記複数の装置のいずれかの異常を示す場合、前記職責データに基づき前記異常に対処すべき職責の作業員を特定する作業員特定手段と、  前記作業員特定手段が特定した作業員が携帯する端末装置をネットワーク上で識別する端末装置識別データを取得する端末装置識別データ取得手段と、  前記端末装置識別データを用いて、前記作業員特定手段が特定した作業員が携帯する端末装置に前記異常に応じた作業を示す作業データを送信する作業データ送信手段と  を備えるサーバ装置。
【請求項２】
前記異常に対処するための複数の作業を手順として示す手順データを取得する手順データ取得手段を備え、  前記作業員特定手段は、前記手順データが示す複数の作業の各々に関し当該作業を担当すべき職責の作業員を特定する  請求項１に記載のサーバ装置。
【請求項３】
前記手順データが示す手順は、当該手順を構成する複数の作業のうち一の作業の結果により前記一の作業の後に実行されるべき作業が変化する手順を含み、  前記一の作業の結果を示す作業結果データを取得する作業結果データ取得手段を備え、  前記作業員特定手段は、前記作業結果データが示す作業の結果に応じて前記一の作業の後に実行されるべき作業を前記手順データに基づき特定し、当該特定した作業を担当すべき職責の作業員を特定する  請求項２に記載のサーバ装置。
【請求項４】
前記作業データに応じた作業員による応援作業を示す応援データを取得する応援データ取得手段  を備え、  前記作業員特定手段は、前記職責データに基づき、前記応援データに示される応援作業に対処すべき職責の作業員を特定する  請求項１乃至３のいずれか１項に記載のサーバ装置。
【請求項５】
前記船舶の航行状態を示す航行状態データを取得する航行状態データ取得手段  を備え、  前記作業員特定手段は、前記航行状態データが示す航行状態に応じた前記異常に対処すべき職責の作業員を特定する  請求項１乃至４のいずれか１項に記載のサーバ装置。
【請求項６】
前記複数の作業員が携帯する端末装置の各々の前記船舶における位置を示す端末装置位置データを取得する端末装置位置データ取得手段  を備え、  前記作業員特定手段は、前記端末装置位置データが示す位置から前記異常な状態の装置までの移動の所要時間に基づき、前記異常に対処すべき職責の作業員を特定する  請求項１乃至５のいずれか１項に記載のサーバ装置。
【請求項７】
前記作業データに応じた作業員による作業の状態を示す作業状態データを取得する作業状態データ取得手段と、  前記複数の作業員のうちのいずれかの作業員が携帯する端末装置に前記作業状態データを送信する作業状態データ送信手段と  を備える請求項１乃至６のいずれか１項に記載のサーバ装置。
【請求項８】
前記異常な状態の装置が過去に示した異常な状態に対し行われた作業を示す作業履歴データを取得する作業履歴データ取得手段と、  前記複数の作業員のうちのいずれかの作業員が携帯する端末装置に前記作業履歴データを送信する作業履歴データ送信手段と  を備える請求項１乃至７のいずれか１項に記載のサーバ装置。
【請求項９】
コンピュータに、  船舶に滞在している複数の作業員の各々に関し、当該作業員の職責を示す職責データを取得する処理と、  前記船舶に配置された複数の装置の各々の状態を示す装置状態データを取得する処理と、  前記装置状態データが前記複数の装置のいずれかの異常を示す場合、前記職責データに基づき前記異常に対処すべき職責の作業員を特定する処理と、  前記特定した作業員が携帯する端末装置をネットワーク上で識別する端末装置識別データを取得する処理と、  前記端末装置識別データを用いて、前記特定した作業員が携帯する端末装置に前記異常に応じた作業を示す作業データを送信する処理と  を実行させるためのプログラム。
【請求項１０】
コンピュータに、  船舶に滞在している複数の作業員の各々に関し、当該作業員の職責を示す職責データを取得する処理と、  前記船舶に配置された複数の装置の各々の状態を示す装置状態データを取得する処理と、  前記装置状態データが前記複数の装置のいずれかの異常を示す場合、前記職責データに基づき前記異常に対処すべき職責の作業員を特定する処理と、  前記特定した作業員が携帯する端末装置をネットワーク上で識別する端末装置識別データを取得する処理と、  前記端末装置識別データを用いて、前記特定した作業員が携帯する端末装置に前記異常に応じた作業を示す作業データを送信する処理と  を実行させるためのプログラムを持続的に記録するコンピュータ読み取り可能な記録媒体。
【請求項１１】
サーバ装置が、船舶に滞在している複数の作業員の各々に関し、当該作業員の職責を示す職責データを取得するステップと、  前記サーバ装置が、前記船舶に配置された複数の装置の各々の状態を示す装置状態データを取得するステップと、  前記サーバ装置が、前記装置状態データが前記複数の装置のいずれかの異常を示す場合、前記職責データに基づき前記異常に対処すべき職責の作業員を特定するステップと、  前記サーバ装置が、前記特定した作業員が携帯する端末装置をネットワーク上で識別する端末装置識別データを取得するステップと、  前記サーバ装置が、前記端末装置識別データを用いて、前記特定した作業員が携帯する端末装置に前記異常に応じた作業を示す作業データを送信するステップと  を備える作業管理方法。
【発明の詳細な説明】
【技術分野】
【０００１】  本発明は、船舶内の異常を示す装置の復旧作業を管理するための技術に関する。
【背景技術】
【０００２】  船舶においていずれかの装置に異常が発生した場合、緊急な対処が要請される場合がある。例えば、主機の燃料油圧力低下が生じると、迅速に異常の原因を特定し復旧を行わなければ、主機が停止し様々な不都合を生じる。従って、船舶内で異常が検知された場合に、船舶内の作業員に対し速やかな対処を促す仕組みが求められる。【０００３】  上記のニーズに応える技術を提案する文献として、例えば特許文献１がある。特許文献１には、船舶内を複数の区画に分け、船舶内の作業員の保持する携帯端末の位置情報を定期的に更新しておき、検知器が異常を検知した場合、異常の発生した区画内の携帯端末に対し警報を出力することで、作業員による迅速な対処を可能とする警報通知システムが提案されている。
【先行技術文献】
【特許文献】
【０００４】
【特許文献１】特開２００５−３３２２４７号公報
【発明の概要】
【発明が解決しようとする課題】
【０００５】  船舶には様々な種別の装置が搭載されており、異常を示した装置の種別や異常の種別によって、その異常に対処すべき作業員の職責が異なる。例えば、主機のような重要な装置に関しては、一等機関士またはチーフが作業を行う職責を有し、二等機関士以下の作業員はその作業を行う職責がない、といった制約がある。従って、例えば主機の異常が検知された場合、仮に二等機関士が当該主機の近くにいて当該二等機関士に警報が通知されても、当該二等機関士は検知された異常に対処できない。【０００６】  上記のような事情に鑑み、本発明は船舶において職責に応じた作業の制約がある場合であっても、異常を示す装置の迅速な復旧を可能とする手段を提供することを目的とする。
【課題を解決するための手段】
【０００７】  上記課題を解決するため、本発明は、船舶に滞在している複数の作業員の各々に関し、当該作業員の職責を示す職責データを取得する職責データ取得手段と、前記船舶に配置された複数の装置の各々の状態を示す装置状態データを取得する装置状態データ取得手段と、前記装置状態データが前記複数の装置のいずれかの異常を示す場合、前記職責データに基づき前記異常に対処すべき職責の作業員を特定する作業員特定手段と、前記作業員特定手段が特定した作業員が携帯する端末装置をネットワーク上で識別する端末装置識別データを取得する端末装置識別データ取得手段と、前記端末装置識別データを用いて、前記作業員特定手段が特定した作業員が携帯する端末装置に前記異常に応じた作業を示す作業データを送信する作業データ送信手段とを備えるサーバ装置を提供する。【０００８】  上述のサーバ装置において、前記異常に対処するための複数の作業を手順として示す手順データを取得する手順データ取得手段を備え、前記作業員特定手段は、前記手順データが示す複数の作業の各々に関し当該作業を担当すべき職責の作業員を特定する、という構成が採用されてもよい。【０００９】  また、上述のサーバ装置において、前記手順データが示す手順は、当該手順を構成する複数の作業のうち一の作業の結果により前記一の作業の後に実行されるべき作業が変化する手順を含み、前記一の作業の結果を示す作業結果データを取得する作業結果データ取得手段を備え、前記作業員特定手段は、前記作業結果データが示す作業の結果に応じて前記一の作業の後に実行されるべき作業を前記手順データに基づき特定し、当該特定した作業を担当すべき職責の作業員を特定する、という構成が採用されてもよい。【００１０】  また、上述のサーバ装置において、前記作業データに応じた作業員による応援作業を示す応援データを取得する応援データ取得手段を備え、前記作業員特定手段は、前記職責データに基づき、前記応援データに示される応援作業に対処すべき職責の作業員を特定する、という構成が採用されてもよい。【００１１】  また、上述のサーバ装置において、前記船舶の航行状態を示す航行状態データを取得する航行状態データ取得手段を備え、前記作業員特定手段は、前記航行状態データが示す航行状態に応じた前記異常に対処すべき職責の作業員を特定する、という構成が採用されてもよい。【００１２】  また、上述のサーバ装置において、前記複数の作業員が携帯する端末装置の各々の前記船舶における位置を示す端末装置位置データを取得する端末装置位置データ取得手段を備え、前記作業員特定手段は、前記端末装置位置データが示す位置から前記異常な状態の装置までの移動の所要時間に基づき、前記異常に対処すべき職責の作業員を特定する、という構成が採用されてもよい。【００１３】  また、上述のサーバ装置において、前記作業データに応じた作業員による作業の状態を示す作業状態データを取得する作業状態データ取得手段と、前記複数の作業員のうちのいずれかの作業員が携帯する端末装置に前記作業状態データを送信する作業状態データ送信手段とを備える、という構成が採用されてもよい。【００１４】  また、上述のサーバ装置において、前記異常な状態の装置��過去に示した異常な状態に対し行われた作業を示す作業履歴データを取得する作業履歴データ取得手段と、前記複数の作業員のうちのいずれかの作業員が携帯する端末装置に前記作業履歴データを送信する作業履歴データ送信手段とを備える、という構成が採用されてもよい。【００１５】  また、本発明は、コンピュータに、船舶に滞在している複数の作業員の各々に関し、当該作業員の職責を示す職責データを取得する処理と、前記船舶に配置された複数の装置の各々の状態を示す装置状態データを取得する処理と、前記装置状態データが前記複数の装置のいずれかの異常を示す場合、前記職責データに基づき前記異常に対処すべき職責の作業員を特定する処理と、前記特定した作業員が携帯する端末装置をネットワーク上で識別する端末装置識別データを取得する処理と、前記端末装置識別データを用いて、前記特定した作業員が携帯する端末装置に前記異常に応じた作業を示す作業データを送信する処理とを実行させるためのプログラムを提供する。【００１６】  また、本発明は、コンピュータに、船舶に滞在している複数の作業員の各々に関し、当該作業員の職責を示す職責データを取得する処理と、前記船舶に配置された複数の装置の各々の状態を示す装置状態データを取得する処理と、前記装置状態データが前記複数の装置のいずれかの異常を示す場合、前記職責データに基づき前記異常に対処すべき職責の作業員を特定する処理と、前記特定した作業員が携帯する端末装置をネットワーク上で識別する端末装置識別データを取得する処理と、前記端末装置識別データを用いて、前記特定した作業員が携帯する端末装置に前記異常に応じた作業を示す作業データを送信する処理とを実行させるためのプログラムを持続的に記録するコンピュータ読み取り可能な記録媒体を提供する。【００１７】  また、本発明は、サーバ装置が、船舶に滞在している複数の作業員の各々に関し、当該作業員の職責を示す職責データを取得するステップと、前記サーバ装置が、前記船舶に配置された複数の装置の各々の状態を示す装置状態データを取得するステップと、前記サーバ装置が、前記装置状態データが前記複数の装置のいずれかの異常を示す場合、前記職責データに基づき前記異常に対処すべき職責の作業員を特定するステップと、前記サーバ装置が、前記特定した作業員が携帯する端末装置をネットワーク上で識別する端末装置識別データを取得するステップと、前記サーバ装置が、前記端末装置識別データを用いて、前記特定した作業員が携帯する端末装置に前記異常に応じた作業を示す作業データを送信するステップとを備える作業管理方法を提供する。
【発明の効果】
【００１８】  本発明によれば、船舶で装置に異常が発生した場合、当該装置に対する復旧作業が可能な職責の作業員に作業要請が行われるため、装置の迅速な復旧が可能となる。
【図面の簡単な説明】
【００１９】
【図１】一実施形態にかかる作業管理システムの全体構成を示した図。
【図２】一実施形態にかかるサーバ装置の機能構成を示した図。
【図３】一実施形態にかかる手順マスターＤＢのデータ構成を例示した図。
【図４】一実施形態にかかる作業員ＤＢのデータ構成を例示した図。
【図５】一実施形態にかかる移動所要時間ＤＢのデータ構成を例示した図。
【図６Ａ】一実施形態にかかる異常ＤＢのデータ構成を例示した図。
【図６Ｂ】一実施形態にかかる異常ＤＢのデータ構成を例示した図。
【図７】一実施形態にかかる端末装置の機能構成を示した図。
【図８Ａ】一実施形態にかかる端末装置に表示される警告画面を例示した図。
【図８Ｂ】一実施形態にかかる端末装置に表示される警告画面を例示した図。
【図９Ａ】一実施形態にかかる端末装置に表示される作業要請画面を例示した図。
【図９Ｂ】一実施形態にかかる端末装置に表示される状況確認画面を例示した図。
【図１０Ａ】一実施形態にかかる端末装置に表示される詳細画面を例示した図。
【図１０Ｂ】一実施形態にかかる端末装置に表示される詳細画面を例示した図。
【図１１】一実施形態にかかる端末装置に表示される対処画面（作業開始前）を例示した図。
【図１２】一実施形態にかかる端末装置に表示される対処画面（作業中）を例示した図。
【図１３】一実施形態にかかる端末装置に表示される対処画面（作業完了後）を例示した図。
【図１４】一実施形態にかかる端末装置に表示される備考登録画面を例示した図。
【図１５】一実施形態にかかる端末装置に表示される履歴画面を例示した図。
【発明を実施するための形態】
【００２０】［実施形態］  以下に本発明の一実施形態にかかる作業管理システム１を説明する。作業管理システム１は、船舶に配置された主機、発電機、ボイラー等の装置に異常が発生した場合に、当該装置の復旧作業を支援するためのシステムである。
【００２１】  図１は、作業管理システム１の全体構成を示した図である。作業管理システム１は、復旧作業を管理するためのデータの記憶および送受信を行うサーバ装置１１と、船舶に滞在する作業員が携帯するｉ個の端末装置１２−１〜１２−ｉ（ただし、ｉは作業員の人数に応じた任意の自然数）と、船舶の装置の状態を継続的に特定して特定した状態を示す装置状態データを順次サーバ装置１１に送信するセンサ１３−１〜１３−ｊ（ただし、ｊは任意の自然数）と、船舶の装置を継続的に撮影して得られる画像データを順次サーバ装置１１に送信するカメラ１４−１〜１４−ｋ（ただし、ｋは任意の自然数）と、船舶の現在位置を測定するＧＰＳユニット等の位置測定装置１５と、船内管理者がサーバ装置１１に対し各種データの入力等を行うために用いる端末装置１６を備える。
【００２２】  以下、端末装置１２−１〜１２−ｉを端末装置１２と総称し、センサ１３−１〜１３−ｊをセンサ１３と総称し、カメラ１４−１〜１４−ｋをカメラ１４と総称する。サーバ装置１１と、端末装置１２の各々、センサ１３の各々、カメラ１４の各々、位置測定装置１５、および端末装置１６とは、ネットワーク９を介して互いに通信可能である。ネットワーク９はその一部に無線通信区間を含み、例えば端末装置１２の各々は、作業員に携帯され、ネットワーク９との間で無線通信を行う。そのため、船舶内には様々な場所に無線アクセスポイント（図１において図示略）が設置されており、サーバ装置１１はこれらの無線アクセスポイントのいずれに端末装置１２が通信接続しているかに基づき、端末装置１２の船舶における位置を特定することができる。なお、センサ１３、カメラ１４、位置測定装置１５、および端末装置１６の少なくとも一部が、ネットワーク９を介さずにサーバ装置１１に接続されていてもよい。また、作業管理システム１が端末装置１６を備える構成に代えて、サーバ装置１１に液晶ディスプレイ等の表示装置と、キーボードやマウス等の操作装置を接続（または内蔵）させる構成が採用されてもよい。この場合、船内管理者はサーバ装置１１を直接操作することにより、サーバ装置１１に各種データの入力等を行うことになる。
【００２３】  サーバ装置１１は一般的なサーバ装置用のコンピュータに、本実施形態にかかるサーバ装置用のプログラムに従った処理を実行させることにより実現される。図２は、サーバ装置１１の機能構成を示した図である。すなわち、サーバ装置１１のハードウェアを構成するコンピュータのプロセッサは、メモリに記憶されているプログラムに従った処理を実行することにより、図２に示す構成を備える装置として機能する。
【００２４】  サーバ装置１１は、機能構成として、端末装置１２の各々、センサ１３の各々、カメラ１４の各々、位置測定装置１５、および端末装置１６から送信されてくる各種データを受信する受信部１１１と、各種データを記憶する記憶部１１２と、異常が発生した場合に当該異常に対処するための作業の要請先の作業員を特定する作業員特定部１１３（作業員特定手段の一例）と、各種データを端末装置１２の各々に送信する送信部１１４を備える。
【００２５】  記憶部１１２には、手順マスターＤＢ（Database）、作業員ＤＢ、移動所要時間ＤＢ、および異常ＤＢが記憶されている。
【００２６】  図３は、手順マスターＤＢのデータ構成を例示した図である。手順マスターＤＢは、様々な装置において発生し得る異常の種別の各々に関し、当該異常な状態の装置を復旧するための手順（実行されるべき複数の作業）を示す手順データを管理するためのデータベースである。手順マスターＤＢは発生し得る異常の種別の各々に応じたレコードの集まりであり、各レコードはフィールド［装置種別名］、［職責名］、［異常名］、［緊急度］、［原因種別名］、［手順］を有する。
【００２７】  フィールド［装置種別名］は、「主機」、「ボイラー」、「発電機」等の船舶の装置の種別名を示すデータを格納する。フィールド［職責名］は、フィールド［装置種別名］が示す装置種別の装置に対し作業を行うことが許可されている作業員の職責の名称を示すデータが格納される。フィールド［職責名］に格納されるデータは、例えば、「一等機関士」、「二等機関士」等である。フィールド［異常名］は、「燃料油圧力低下」、「水位上昇」等の異常の名称を示すデータを格納する。図３に例示のデータ構成においては、フィールド［異常名］に格納されるデータは１つであり、フィールド［装置種別名］と［異常名］に格納されるデータの組み合わせにより異常の種別が特定される。
【００２８】  フィールド［緊急度］は、異常に対する対処が緊急を要する程度を示すデータを格納する。作業管理システム１においては、船舶の航行状態に応じて同じ異常であっても対処の緊急度は異なり得る。例えば、ボイラーの燃料油圧力が低下した場合、航行中であれば仮にボイラーが失火しても主機の排気ガス等から回収される熱エネルギーによりボイラーの蒸気圧が急速に低下することはないが、船舶が港に停泊中であればボイラーが失火すれば蒸気圧が急速に低下し荷役作業等に影響が出るため、迅速な復旧が要請される。従って、フィールド［緊急度］には、例えば、「航行中：通常、待機中：通常、停泊中：高」といったデータが格納される。なお、「待機中」とは、沖で港への停泊を待っている状態である。
【００２９】  フィールド［原因種別名］は、「燃料油ポンプの異常」、「ヒーターの故障」等の、異常の原因種別の名称を示すデータを格納する。図３に例示のデータ構成においては、フィールド［原因種別名］には、フィールド［装置種別名］と［異常名］に格納されるデータで特定される異常の原因として考えられる複数の原因種別を示すデータが格納される。
【００３０】  フィールド［手順］は、フィールド［原因種別名］に格納されるデータの各々に応じて、当該データが示す原因種別に対処するための手順を示す手順データを格納する。フィールド［手順］は、サブフィールド［作業内容］、［実行条件］、［開始条件］、［職責名］を有する。
【００３１】  サブフィールド［作業内容］は、時系列で実行されるべき複数の作業を示すデータを格納する。サブフィールド［作業内容］に格納されるデータは、例えば、「ＳＴ１：燃料油ポンプの切り替え」といったデータである。ここで、「ＳＴ１」等は手順内における作業の識別子であり、以下、個々の作業を指定する場合、「作業ＳＴ１」のように記載する。
【００３２】  サブフィールド［実行条件］は、作業が要請される条件を示すデータを格納する。サブフィールド［実行条件］に格納されるデータは、例えば、作業ＳＴ１に後続する作業ＳＴ２に関し、「ＳＴ１が不可の場合、実行」といったデータである。この例の場合、作業ＳＴ２は、作業ＳＴ１が成功した場合には実行が要請されることはない。
【００３３】  サブフィールド［開始条件］は、作業の開始において要求される条件を示すデータを格納する。サブフィールド［開始条件］に格納されるデータは、例えば、作業ＳＴ３に続く作業ＳＴ４に関し、「ＳＴ３：完了」といったデータである。この例の場合、作業ＳＴ３が完了しなければ、作業ＳＴ４の実行は許可されない。従って、図３に例示の開始条件「ＳＴ３：完了」は、ボイラー再点火（ＳＴ３）の完了後でなければＳＴ４の発電機切り替えは許可されないことを示す。
【００３４】  上記のように、手順データが実行条件や開始条件を示すことにより、手順データが示す手順においては、作業の同時並行や、先行する作業の結果に応じた後続する作業の変更（選択）が許容される。
【００３５】  サブフィールド［職責名］は、手順データが示す手順に含まれる作業の各々に関し、当該作業が実行可能な作業員の職責名を示すデータを格納する。サブフィールド［職責名］には、「二等機関士」のように職責名のみを示すデータが格納される場合と、「三等機関士（ＳＴ１）」のように、職責名と作業の識別子とを示すデータが格納される場合がある。例えば、サブフィールド［職責名］に、作業ＳＴ３に関し「三等機関士（ＳＴ１）」というデータが格納されている場合、このデータは、作業ＳＴ３は作業ＳＴ１を担当する三等機関士が担当すべきであることを示す。
【００３６】  図４は、作業員ＤＢのデータ構成を例示した図である。作業員ＤＢは、作業員の各々に関するデータを管理するためのデータベースである。作業員ＤＢは作業員の各々に応じたレコードの集まりであり、各レコードはフィールド［作業員名］、［職責名］、［当番／非番］、［エリア名］、［アドレス］を有する。
【００３７】  フィールド［作業員名］は、作業員の名称を示すデータを格納する。フィールド［職責名］は、作業員の職責名を示すデータを格納する。フィールド［当番／非番］は、作業員が現在、当番と非番のいずれであるかを示すデータを格納する。フィールド［エリア名］は、作業員が携帯する端末装置１２が現在位置するエリアの名称を示すデータを格納する。なお、作業管理システム１においては、端末装置１２の位置は端末装置１２がネットワーク９に接続する際にアクセスする無線アクセスポイントの位置に基づき特定される。フィールド［アドレス］は、ネットワーク９において端末装置１２を識別するアドレス（端末装置識別データの一例）を格納する。サーバ装置１１はフィールド［アドレス］に格納されているアドレスに基づき、特定の端末装置１２にデータの送信を行うことができる。
【００３８】  図５は、移動所要時間ＤＢのデータ構成を例示した図である。移動所要時間ＤＢは、船舶の中の複数のエリアの各々の代表位置（例えば、各エリアの中央位置）から装置の各々の位置まで作業員が通常の速度で移動する際に要する時間を管理するデータベースである。移動所要時間ＤＢは装置とエリアの組み合わせの各々に応じたレコードの集まりであり、各レコードはフィールド［装置名］、［エリア］、［所要時間］を有する。
【００３９】  フィールド［装置名］は、装置の名称を示すデータを格納する。フィールド［エリア］は船舶内のエリアの名称を示すデータを格納する。フィールド［所要時間］は、フィールド［装置名］で示される装置の位置まで、フィールド［エリア］で示されるエリアの代表位置から移動するために要する所要時間を示すデータを格納する。
【００４０】  図６Ａおよび図６Ｂ（以下、これらを「図６」と総称する）は、異常ＤＢのデータ構成を例示した図である。図６Ｂは図６Ａにおいて「ＸＸＸＸＸ」で表示される「作業詳細」の例を示している。異常ＤＢは、発生した異常に関するデータを管理するデータベースである。異常ＤＢは発生した異常の各々に応じたレコードの集まりであり、各レコードはフィールド［異常ＩＤ］、［発生時刻］、［解決時刻］、［装置名］、［異常名］、［緊急度］、［航行状態］、［原因名］、［作業内容］、［作業詳細］を有する。
【００４１】  フィールド［異常ＩＤ］は、異常の各々を識別する異常ＩＤを格納する。フィールド［発生時刻］は、異常の発生時刻を示すデータを格納する。フィールド［解決時刻］は、異常に対処するための作業が全て完了し異常が解消した時刻を示すデータを格納する。フィールド［装置名］は、異常を示した装置の名称を示すデータを格納する。フィールド［緊急度］は、異常の緊急度を示すデータを格納する。フィールド［航行状態］は、異常が発生した時点における航行状態を示すデータを格納する。フィールド［原因名］は、異常の原因名を示すデータを格納する。フィールド［作業内容］は、異常に対処するために行われた作業の内容を示すデータを格納する。フィールド［作業詳細］は、作業内容の詳細な履歴を示すデータを格納する。
【００４２】  フィールド［作業詳細］は、図６Ｂに示されるように、サブフィールド［時刻］、［作業名］、［作業員名］、［備考］を有する。サブフィールド［時刻］は、作業員が作業の要請を受諾した時刻、作業を開始した時刻、または作業を完了した時刻を示すデータを格納する。サブフィールド［作業名］は、作業の名称を示すデータを格納する。サブフィールド［作業名］に格納されるデータは、例えば、「ＳＴ１：燃料油ポンプの切り替え」のようなデータであり、手順マスターＤＢ（図３）のフィールド［手順］に格納されているデータのいずれかのコピーである。サブフィールド［作業員名］は、作業を受諾し実行した作業員の名称を示すデータを格納する。サブフィールド［備考］は、作業員が入力した作業に関する備考情報を示すデータを格納する。
【００４３】  端末装置１２は一般的な端末装置用のコンピュータに、本実施形態にかかる端末装置用のプログラムに従った処理を実行させることにより実現される。図７は、端末装置１２の機能構成を示した図である。すなわち、端末装置１２のハードウェアを構成するコンピュータのプロセッサは、メモリに記憶されているプログラムに従った処理を実行することにより、図７に示す構成を備える装置として機能する。なお、端末装置１２のハードウェアを構成するコンピュータは、例えば無線通信インタフェース、タッチディスプレイ、スピーカ、マイク、カメラを備えるタブレット型コンピュータであるが、その種別はノート型パソコン、スマートフォン等のいずれであってもよい。
【００４４】  端末装置１２は、機能構成として、サーバ装置１１から送信されてくる各種データを受信する受信部１２１と、画像を表示する表示部１２２と、警告音や通話相手の音声を発音する発音部１２３と、作業員に警告の通知を行うための振動を発する振動部１２４と、作業員の操作を受け付ける操作部１２５と、通話時に作業員の音声を拾音する拾音部１２６と、撮像を行う撮像部１２７と、各種データをサーバ装置１１に送信する送信部１２８を備える。
【００４５】  続いて、船舶の装置のいずれかに異常が発生した場合の作業管理システム１の動作を、装置名「ボイラーＢ０５」であるボイラーの燃料油圧力が異常に低下した場合を例として説明する。
【００４６】  まず、サーバ装置１１の記憶部１１２には、上述した手順マスターＤＢ、作業員ＤＢ、移動所要時間ＤＢ、および異常ＤＢが記憶されている。また、記憶部１１２には、サーバ装置１１が装置の異常を検出するための閾値を示すデータが記憶されている。なお、作業員ＤＢ（図４）にはフィールド［職責名］に作業員の職責を示すデータ（職責データ）が格納されており、作業員ＤＢを記憶する記憶部１１２は職責データ取得手段の一例として機能する。また、手順マスターＤＢ（図３）にはフィールド［手順］に手順データが格納されており、手順マスターＤＢを記憶する記憶部１１２は手順データ取得手段の一例として機能する。また、手順マスターＤＢ（図３）にはフィールド［手順］に手順データが格納されており、手順マスターＤＢを記憶する記憶部１１２は手順データ取得手段の一例として機能する。
【００４７】  また、サーバ装置１１の受信部１１１（端末装置識別データ取得手段の一例）は、端末装置１２の各々がネットワーク９に接続した際に端末装置１２に割り当てられたアドレス（端末装置識別データの一例）を受信し、作業員ＤＢのフィールド［アドレス］に格納する。また、サーバ装置１１の受信部１１１（端末装置位置データ取得手段の一例）は、無線アクセスポイントから当該無線アクセスポイントにアクセスしている端末装置１２のアドレスを受信し、例えば予め記憶部１１２に記憶されている無線アクセスポイントの配置されているエリア名を示すデータに従い、作業員ＤＢ（図４）のフィールド［エリア名］を更新する。
【００４８】  また、サーバ装置１１の受信部１１１（装置状態データ取得手段の一例）は、継続的にセンサ１３の各々から装置の状態を示す装置状態データを受信する。また、サーバ装置１１の受信部１１１は、継続的に位置測定装置１５から船舶の現在位置を示す船舶現在位置データを受信する。サーバ装置１１は、例えば、いずれかのセンサ１３から受信する主機の運転状態を示す装置状態データと、位置測定装置１５から受信する船舶現在位置データに基づき、船舶の航行状態を特定する。従って、主機の運転状態を示す装置状態データと船舶現在位置データは船舶の航行状態を示す航行状態データの一例であり、これらのデータを受信する受信部１１１は航行状態データ取得手段の一例として機能する。
【００４９】  上記のような状況下において、ボイラーＢ０５の燃料油圧力が異常に低下すると、サーバ装置１１は、例えば記憶部１１２に予め記憶している閾値との比較により、その異常を検出する。異常の検出に応じて、サーバ装置１１の作業員特定部１１３は異常ＤＢ（図６）に新たなレコードを追加し、フィールド［異常ＩＤ］、［発生時刻］、［装置名］、［異常名］、［航行状態］にデータを格納する。
【００５０】  続いて、作業員特定部１１３は、手順マスターＤＢ（図３）から発生した異常に対応するレコードを読み出し、読み出したレコードのフィールド［緊急度］のデータのうち、その時点の船舶の航行状態に応じたデータが示す緊急度が「高」であるか「通常」であるかを判定する。作業員特定部１１３は判定した緊急度を示すデータを、先に異常ＤＢに追加したレコード（以下、「該当レコード」という）のフィールド［緊急度］に格納する。
【００５１】  緊急度が「高」である場合、作業員特定部１１３は全ての作業員をこの異常の初期対処の要請先の作業員として特定する。送信部１１４（作業データ送信手段の一例）は、作業員ＤＢ（図４）を参照し、作業員特定部１１３により特定された、初期対処の要請先の作業員、すなわち全ての作業員の端末装置１２のアドレスに宛てて、図８Ａに例示する警告画面の表示を指示する警告画面データ（作業データの一例）を送信する。
【００５２】  一方、緊急度が「通常」である場合、作業員特定部１１３はまず、手順マスターＤＢ（図３）を参照し、発生した異常に対応するレコードのフィールド［職責名］のデータを読み出し、初期対処を行うべき作業員の職責名を特定する。続いて、作業員特定部１１３は作業員ＤＢ（図４）を参照し、初期対処を行うべき作業員の職責名に対応し、当番である作業員のレコードを抽出する。続いて、作業員特定部１１３は移動所要時間ＤＢ（図５）を参照し、異常が発生している装置に対応するレコードを抽出する。作業員特定部１１３はこのように作業員ＤＢから抽出したレコードをこの異常の初期対処を行う作業員の候補者として特定するとともに、移動所要時間ＤＢから抽出したレコードのデータに基づき、初期対処を行う作業員の候補者を異常が発生している装置までの移動に要する所要時間が短い順に並べる。続いて、作業員特定部１１３は、所定時間の経過毎に、もしくは要請先の作業員により要請に応じられない旨の応答があった場合はそのタイミングで、候補者の中から一人ずつ、並び順に従い初期対処の要請先の作業員を選択する。この作業員特定部１１３による要請先の作業員を順次選択する処理は、いずれかの要請先の作業員が要請に応じるまで継続される。
【００５３】  緊急度が「通常」である場合、サーバ装置１１の送信部１１４は、作業員ＤＢ（図４）を参照し、作業員特定部１１３が要請先として選択している作業員の端末装置１２のアドレスに宛てて、図８Ａに例示する警告画面の表示を指示する警告画面データ（作業データの一例）を送信するとともに、その他の全ての作業員の端末装置１２のアドレスに宛てて、図８Ｂに例示する警告画面の表示を指示する警告画面データを送信する。
【００５４】  サーバ装置１１から警告画面データを受信した端末装置１２は、表示部１２２により警告画面を表示するとともに、発音部１２３により警告音を発し、また、振動部１２４により振動を発することで、作業員に異常の発生を通知する。警告画面により、作業員に対して、例えば、異常の発生時刻、異常を示している装置とその位置、異常の種類、緊急度が通知される。また、初期対処の要請先の作業員に対しては、初期対処の要請も通知される。
【００５５】  警告画面を見た作業員が警告画面の「確認」ボタンを操作すると、この操作に応じて端末装置１２からサーバ装置１１に送信される要求に応じて、サーバ装置１１は図９Ａに例示するような作業要請画面（要請先の作業員の端末装置１２用）の表示を指示する作業要請画面データ、または図９Ｂに例示するような状況確認画面（要請先でない作業員の端末装置１２用）の表示を指示する状況確認画面データを生成し、要求元の端末装置１２に送信する。端末装置１２は作業要請画面データに従い作業要請画面（図９Ａ）、もしくは状況確認画面データに従い状況確認画面（図９Ｂ）を表示する。作業要請画面および状況確認画面には、作業の対応状況に関する情報が、「未対処」、「対処中」、「解決済み」といったステイタスとともにリスト表示される。また、作業要請画面には、作業員に対し対処が要請されている作業が、例えば太枠で示されるとともに、要請に応じる場合に操作される「受諾」ボタンと、要請に応じられない場合に操作される「拒否」ボタンが表示される。
【００５６】  作業員は異常に対する対処状況に関してより詳しい情報を得たい場合、情報を得たい作業を作業要請画面のリストから選択した後、「詳細」ボタンを操作する。この操作に応じて端末装置１２からサーバ装置１１に送信される要求に応じて、サーバ装置１１は図１０Ａ（要請先の作業員の端末装置１２用）または図１０Ｂ（要請先でない作業員の端末装置１２用）に例示するような詳細画面の表示を指示する詳細画面データを生成し、要求元の端末装置１２に送信する。詳細画面には、例えば、装置名、異常名等の基本情報に加え、異常を示している装置を撮影するカメラ１４からサーバ装置１１が順次受信する画像データが示す動画と、例えば、異常を示している計測値（この場合、ボイラーＢ０５の燃料油圧力）の時系列変化を示すグラフが表示される。
【００５７】  初期対処の要請先の作業員は、要請されている作業を引き受ける場合、作業要請画面（図９Ａ）または詳細画面（図１０Ａ）において「受諾」ボタンを操作する。この操作に応じて、端末装置１２からサーバ装置１１に、作業の受諾を示す作業受諾データが送信される。サーバ装置１１の受信部１１１は作業受諾データに従い、異常ＤＢ（図６）の該当レコードのフィールド［作業詳細］のデータを更新する。
【００５８】  初期対処の作業を受諾した作業員が、作業開始前に作業要請画面（図９Ａ）にて自分が受諾した作業をリストから選択すると、「受諾」ボタンに代えて「対処」ボタンが表示される。作業員が「対処」ボタンを操作すると、図１１に例示するような対処画面が表示される。対処画面には、異常に関する基本情報に加え、「作業開始」ボタンが表示される。
【００５９】  作業員はボイラーＢ０５の場所に到着し作業を開始する時に、「作業開始」ボタンを操作する。この操作に応じて、端末装置１２からサーバ装置１１に、作業の開始を示す作業状態データが送信される。サーバ装置１１の受信部１１１（作業状態データ取得手段の一例）は作業状態データを受信し、当該作業状態データに従い、異常ＤＢ（図６）の該当レコードのフィールド［作業詳細］のデータを更新する。
【００６０】  「作業開始」ボタンが操作された後、端末装置１２には図１２に例示するような対処画面が表示される。すなわち、作業開始後の対処画面には、作業結果の入力欄と、「作業終了」ボタンが表示される。
【００６１】  作業員は、この場合、ボイラーＢ０５の燃料油圧力の低下の原因の特定を初期対処の作業として要請されている。従って、作業員はボイラーＢ０５の状態を点検し、異常の原因を特定すると、特定した原因種別名を作業結果の入力欄に入力し、「作業終了」ボタンを操作する。この操作に応じて、端末装置１２からサーバ装置１１に、作業結果の入力欄に入力された情報を示す作業結果データと、作業の終了を示す作業状態データが送信される。サーバ装置１１の受信部１１１（作業状態データ取得手段および作業結果データ取得手段の一例）は作業結果データと作業状態データを受信すると、まず、作業状態データに従い、異常ＤＢ（図６）の該当レコードのフィールド［作業詳細］のデータを更新する。
【００６２】  続いて、作業員特定部１１３は、手順マスターＤＢ（図３）を参照し、異常を示している装置および発生している異常の異常名に応じたレコードのフィールド［手順］に格納される手順データのうち、端末装置１２から受信した作業結果データが示す原因種別名に対応するものを読み出す。続いて、作業員特定部１１３は、読み出した手順データが示す作業のうち、実行条件が満たされている作業（実行条件が課されていない作業を含む）の各々の職責名を、それらの作業を行うべき作業員の職責名として特定する。
【００６３】  続いて、作業員特定部１１３は、先に初期対処の要請先の作業員を特定した場合と同様に、作業員ＤＢ（図４）および移動所要時間ＤＢ（図５）を参照して、初期対処を行った作業員により特定された原因種別名に応じた手順データが示す作業（実行条件が満たされている作業）の各々に関し、作業の要請先の作業員を職責名、当番／非番、および作業対象の装置までの移動の所要時間に基づき特定する。送信部１１４は、作業員ＤＢ（図４）を参照し、作業員特定部１１３により特定された要請先の作業員の端末装置１２のアドレスに宛てて、警告画面データを送信する。
【００６４】  警告画面データを受信した端末装置１２は、受信した警告画面データに従い、警告画面（図８Ａ）を表示するとともに、警告音および振動を発して、作業要請があったことを作業員に通知する。その後、警告画面により作業要請がされた作業員の各々は、上述した初期対処の作業要請を受けた作業員と同様に、要請された作業の確認や承諾を行い、承諾した場合は作業対象の装置の場所まで移動し、要請された作業を行う。その際に作業員が端末装置１２に対し行う操作や、作業員の操作に応じてサーバ装置１１および端末装置１２が行う処理は上述した初期対処の作業における場合と同様である。
【００６５】  作業員は、自分が受諾した作業を完了した後、完了した作業に関する備考情報を端末装置１２に入力することができる。図１３は、図１２に例示の対処画面において作業員が「作業終了」ボタンを操作した後に表示される対処画面を例示している。すなわち、作業終了後に端末装置１２に表示される対処画面には、「備考登録」ボタンが表示される。作業者が「備考登録」ボタンを操作すると、端末装置１２には図１４に例示するような備考登録画面が表示される。作業員は、備考登録画面において自由に備考情報を入力するとともに、例えば作業中に端末装置１２を用いて撮影した画像データを「画像選択」ボタンを操作して選択し、備考情報とともに登録することができる。備考登録画面において、作業員が「登録」ボタンを操作すると、その操作に応じて、端末装置１２からサーバ装置１１に備考情報を示す備考データと、作業員に選択された画像データが送信される。サーバ装置１１は、受信した備考データおよび画像データを、異常ＤＢ（図６）の該当データのフィールド［作業履歴］のサブフィールド［備考］に格納する。
【００６６】  作業員は、作業要請画面（図９Ａ）または状況確認画面（図９Ｂ）、詳細画面（図１０Ａまたは図１０Ｂ）、対処画面（図１１乃至図１３）において、「履歴」ボタンを操作して、作業対象の装置に過去に生じた異常に関する履歴情報を表示させることができる。作業員が「履歴」ボタンを操作すると、この操作に応じて端末装置１２からサーバ装置１１に送信される要求に応じて、サーバ装置１１は記憶部１１２（作業履歴データ取得手段の一例）に記憶されている異常ＤＢのフィールド［作業内容］から読み出したデータを用いて、図１５に例示するような履歴画面の表示を指示する履歴画面データを生成する。その後、送信部１１４（作業履歴データ送信手段の一例）は、履歴画面データを要求元の端末装置１２に送信する。履歴画面には、作業対象の装置に関し過去に発生した異常の履歴が、例えば発生時期の新しい順にリスト表示される。また、履歴画面において作業員が異常の履歴のいずれかを選択すると、選択した異常と同種の異常に対して過去に行われた作業の履歴が表示される。作業員は、履歴画面に表示される情報を参考にしつつ現在対処中の作業を行うことができる。
【００６７】  また、作業員は、図１２または図１３に例示の対処画面において、「応援要請」ボタンを操作することで、応援作業の要請を行うことができる。作業員が「応援要請」ボタンを操作すると、この操作に応じて、端末装置１２からサーバ装置１１に要請する応援作業を示す応援データが送信される。サーバ装置１１の受信部１１１（応援データ取得手段の一例）により応援データが受信されると、作業員特定部１１３は、要請元の端末装置１２の作業員が受諾し現在作業を行っている作業を実行可能な職責の作業員の中から、当番であり装置に早く辿り着ける作業員を特定する。サーバ装置１１の送信部１１４は、作業員特定部１１３により特定された作業員の端末装置１２に警告画面データを送信する。その結果、警告画面データを受信した端末装置１２には、応援作業の要請のための警告画面が表示されることになる。
【００６８】  また、作業員は、作業要請画面（図９Ａ）または状況確認画面（図９Ｂ）、詳細画面（図１０Ａまたは図１０Ｂ）、対処画面（図１１乃至図１３）において、「通話」ボタンを操作することで、希望する他の作業員と通話を行うことができる。作業員が「通話」ボタンを操作すると、例えば当番の作業員のリストが表示され、そのリストから通話を行いたい作業者を選択することで、その作業員の端末装置１２に対し音声通話の呼び出しを行うことができる。従って、作業員は必要に応じて他の作業員と連絡を取りながら作業を進めることができる。
【００６９】  上述した作業管理システム１によれば、装置に異常が発生した場合、異常に対処するための作業を実行可能な職責の作業員に対し作業要請が行われる。その結果、異常の速やかな解決が可能となる。
【００７０】  また、作業管理システム１によれば、初期対処を行った作業員により特定された原因種別に応じた作業データに従い、異常の解決のために必要な複数の作業の各々に関し、当該作業を実行可能な職責の作業員に対する作業要請が行われる。異常の解決のために、平行して複数の作業が行われる必要がある場合など、作業要請が一斉に行われるため、異常の速やかな解決が可能となる。
【００７１】  また、作業管理システム１によれば、作業を受諾した作業員が応援の作業員を要請することも容易である。
【００７２】  さらに、作業管理システム１によれば、装置の異常が発生した場合、作業員に作業要請を行うコーディネートの作業を当直機関士等の作業員が行う必要がないため、そのための人員を削減することができる。
【００７３】［変形例］  上述した実施形態は、本発明の技術的思想の範囲内で様々に変形することができる。以下にそれらの変形の例を示す。
【００７４】（１）上述した実施形態において示したデータベースのデータ構成や画面はあくまで例示であって、他の構成のデータベースや画面が採用されてもよい。
【００７５】（２）上述した実施形態においては、装置種別に応じて作業を実行可能な職責が定められているものとしたが、どの作業をどの職責の作業員が実行可能とするかは任意に設定可能である。例えば、装置種別と異常種別の組み合わせに応じて作業を実行可能な職責が定められてもよい。
【００７６】（３）上述した実施形態においては、端末装置１２の現在位置は端末装置１２がアクセスしている無線アクセスポイントの位置に基づき特定されるものとしたが、端末装置１２の現在位置の特定は他の方法により行われてもよい。例えば、作業員が端末装置１２に現在位置を入力し、作業員により入力された現在位置に基づきサーバ装置１１が端末装置１２の現在位置を特定してもよい。
【００７７】（４）上述した実施形態においては、サーバ装置１１および端末装置１２はコンピュータがプログラムに従った処理を実行することにより実現される。これに代えて、サーバ装置１１および端末装置１２の少なくとも一部が、いわゆる専用装置として構成されてもよい。
【符号の説明】
【００７８】１…作業管理システム、９…ネットワーク、１１…サーバ装置、１２…端末装置、１３…センサ、１４…カメラ、１５…位置測定装置、１１１…受信部、１１２…記憶部、１１３…作業員特定部、１１４…送信部、１２１…受信部、１２２…表示部、１２３…発音部、１２４…振動部、１２５…操作部、１２６…拾音部、１２７…撮像部、１２８…送信部
【図１】
2016098198.tif 000003
【図２】
2016098198.tif 000004
【図３】
2016098198.tif 000005
【図４】
2016098198.tif 000006
【図５】
2016098198.tif 000007
【図６Ａ】
2016098198.tif 000008
【図６Ｂ】
2016098198.tif 000009
【図７】
2016098198.tif 000010
【図８Ａ】
2016098198.tif 000011
【図８Ｂ】
2016098198.tif 000012
【図９Ａ】
2016098198.tif 000013
【図９Ｂ】
2016098198.tif 000014
【図１０Ａ】
2016098198.tif 000015
【図１０Ｂ】
2016098198.tif 000016
【図１１】
2016098198.tif 000017
【図１２】
2016098198.tif 000018
【図１３】
2016098198.tif 000019
【図１４】
2016098198.tif 000020
【図１５】
2016098198.tif 000021
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
船舶に滞在している複数の作業員の各々に関し、当該作業員の職責を示す職責データを取得する職責データ取得手段と、
前記船舶に配置された複数の装置の各々の状態を示す装置状態データを取得する装置状態データ取得手段と、
前記装置状態データが前記複数の装置のいずれかの異常を示す場合、前記異常に対処するための複数の作業を手順として示す手順データを取得する手順データ取得手段と、
前記装置状態データが前記複数の装置のいずれかの異常を示す場合、前記職責データに基づき、前記手順データが示す複数の作業の各々に関し当該作業を担当すべき職責の作業員を特定する作業員特定手段と、
前記作業員特定手段が特定した作業員が携帯する端末装置をネットワーク上で識別する端末装置識別データを取得する端末装置識別データ取得手段と、
前記端末装置識別データを用いて、前記作業員特定手段が特定した作業員が携帯する端末装置に前記異常に応じた作業を示す作業データを送信する作業データ送信手段と
を備えるサーバ装置。
【請求項２】
前記手順データが示す手順は、当該手順を構成する複数の作業のうち一の作業の結果により前記一の作業の後に実行されるべき作業が変化する手順を含み、
前記一の作業の結果を示す作業結果データを取得する作業結果データ取得手段を備え、
前記作業員特定手段は、前記作業結果データが示す作業の結果に応じて前記一の作業の後に実行されるべき作業を前記手順データに基づき特定し、当該特定した作業を担当すべき職責の作業員を特定する
請求項１に記載のサーバ装置。
【請求項３】
前記作業データに応じた作業員による応援作業を示す応援データを取得する応援データ取得手段
を備え、
前記作業員特定手段は、前記職責データに基づき、前記応援データに示される応援作業に対処すべき職責の作業員を特定する
請求項１または２に記載のサーバ装置。
【請求項４】
前記船舶の航行状態を示す航行状態データを取得する航行状態データ取得手段
を備え、
前記作業員特定手段は、前記航行状態データが示す航行状態に応じた前記異常に対処すべき職責の作業員を特定する
請求項１乃至３のいずれか１項に記載のサーバ装置。
【請求項５】
前記複数の作業員が携帯する端末装置の各々の前記船舶における位置を示す端末装置位置データを取得する端末装置位置データ取得手段
を備え、
前記作業員特定手段は、前記端末装置位置データが示す位置から前記異常な状態の装置までの移動の所要時間に基づき、前記異常に対処すべき職責の作業員を特定する
請求項１乃至４のいずれか１項に記載のサーバ装置。
【請求項６】
前記作業データに応じた作業員による作業の状態を示す作業状態データを取得する作業状態データ取得手段と、
前記複数の作業員のうちのいずれかの作業員が携帯する端末装置に前記作業状態データを送信する作業状態データ送信手段と
を備える請求項１乃至５のいずれか１項に記載のサーバ装置。
【請求項７】
前記異常な状態の装置が過去に示した異常な状態に対し行われた作業を示す作業履歴データを取得する作業履歴データ取得手段と、
前記複数の作業員のうちのいずれかの作業員が携帯する端末装置に前記作業履歴データを送信する作業履歴データ送信手段と
を備える請求項１乃至６のいずれか１項に記載のサーバ装置。
【請求項８】
コンピュータに、
船舶に滞在している複数の作業員の各々に関し、当該作業員の職責を示す職責データを取得する処理と、
前記船舶に配置された複数の装置の各々の状態を示す装置状態データを取得する処理と、
前記装置状態データが前記複数の装置のいずれかの異常を示す場合、前記異常に対処するための複数の作業を手順として示す手順データを取得する処理と、
前記装置状態データが前記複数の装置のいずれかの異常を示す場合、前記職責データに基づき、前記手順データが示す複数の作業の各々に関し当該作業を担当すべき職責の作業員を特定する処理と、
前記特定した作業員が携帯する端末装置をネットワーク上で識別する端末装置識別データを取得する処理と、
前記端末装置識別データを用いて、前記特定した作業員が携帯する端末装置に前記異常に応じた作業を示す作業データを送信する処理と
を実行させるためのプログラム。
【請求項９】
コンピュータに、
船舶に滞在している複数の作業員の各々に関し、当該作業員の職責を示す職責データを取得する処理と、
前記船舶に配置された複数の装置の各々の状態を示す装置状態データを取得する処理と、
前記装置状態データが前記複数の装置のいずれかの異常を示す場合、前記異常に対処するための複数の作業を手順として示す手順データを取得する処理と、
前記装置状態データが前記複数の装置のいずれかの異常を示す場合、前記職責データに基づき、前記手順データが示す複数の作業の各々に関し当該作業を担当すべき職責の作業員を特定する処理と、
前記特定した作業員が携帯する端末装置をネットワーク上で識別する端末装置識別データを取得する処理と、
前記端末装置識別データを用いて、前記特定した作業員が携帯する端末装置に前記異常に応じた作業を示す作業データを送信する処理と
を実行させるためのプログラムを持続的に記録するコンピュータ読み取り可能な記録媒体。
【請求項１０】
サーバ装置が、船舶に滞在している複数の作業員の各々に関し、当該作業員の職責を示す職責データを取得するステップと、
前記サーバ装置が、前記船舶に配置された複数の装置の各々の状態を示す装置状態データを取得するステップと、
前記サーバ装置が、前記装置状態データが前記複数の装置のいずれかの異常を示す場合、前記異常に対処するための複数の作業を手順として示す手順データを取得するステップと、
前記サーバ装置が、前記装置状態データが前記複数の装置のいずれかの異常を示す場合、前記職責データに基づき、前記手順データが示す複数の作業の各々に関し当該作業を担当すべき職責の作業員を特定するステップと、
前記サーバ装置が、前記特定した作業員が携帯する端末装置をネットワーク上で識別する端末装置識別データを取得するステップと、
前記サーバ装置が、前記端末装置識別データを用いて、前記特定した作業員が携帯する端末装置に前記異常に応じた作業を示す作業データを送信するステップと
を備える作業管理方法。
【手続補正２】
【補正対象書類名】明細書
【補正対象項目名】０００７
【補正方法】変更
【補正の内容】
【０００７】
上記課題を解決するため、本発明は、船舶に滞在している複数の作業員の各々に関し、当該作業員の職責を示す職責データを取得する職責データ取得手段と、前記船舶に配置された複数の装置の各々の状態を示す装置状態データを取得する装置状態データ取得手段と、前記装置状態データが前記複数の装置のいずれかの異常を示す場合、前記異常に対処するための複数の作業を手順として示す手順データを取得する手順データ取得手段と、前記装置状態データが前記複数の装置のいずれかの異常を示す場合、前記職責データに基づき、前記手順データが示す複数の作業の各々に関し当該作業を担当すべき職責の作業員を特定する作業員特定手段と、前記作業員特定手段が特定した作業員が携帯する端末装置をネットワーク上で識別する端末装置識別データを取得する端末装置識別データ取得手段と、前記端末装置識別データを用いて、前記作業員特定手段が特定した作業員が携帯する端末装置に前記異常に応じた作業を示す作業データを送信する作業データ送信手段とを備えるサーバ装置を提供する。
【手続補正３】
【補正対象書類名】明細書
【補正対象項目名】０００８
【補正方法】削除
【補正の内容】
【手続補正４】
【補正対象書類名】明細書
【補正対象項目名】００１５
【補正方法】変更
【補正の内容】
【００１５】
また、本発明は、コンピュータに、船舶に滞在している複数の作業員の各々に関し、当該作業員の職責を示す職責データを取得する処理と、前記船舶に配置された複数の装置の各々の状態を示す装置状態データを取得する処理と、前記装置状態データが前記複数の装置のいずれかの異常を示す場合、前記異常に対処するための複数の作業を手順として示す手順データを取得する処理と、前記装置状態データが前記複数の装置のいずれかの異常を示す場合、前記職責データに基づき、前記手順データが示す複数の作業の各々に関し当該作業を担当すべき職責の作業員を特定する処理と、前記特定した作業員が携帯する端末装置をネットワーク上で識別する端末装置識別データを取得する処理と、前記端末装置識別データを用いて、前記特定した作業員が携帯する端末装置に前記異常に応じた作業を示す作業データを送信する処理とを実行させるためのプログラムを提供する。
【手続補正５】
【補正対象書類名】明細書
【補正対象項目名】００１６
【補正方法】変更
【補正の内容】
【００１６】
また、本発明は、コンピュータに、船舶に滞在している複数の作業員の各々に関し、当該作業員の職責を示す職責データを取得する処理と、前記船舶に配置された複数の装置の各々の状態を示す装置状態データを取得する処理と、前記装置状態データが前記複数の装置のいずれかの異常を示す場合、前記異常に対処するための複数の作業を手順として示す手順データを取得する処理と、前記装置状態データが前記複数の装置のいずれかの異常を示す場合、前記職責データに基づき、前記手順データが示す複数の作業の各々に関し当該作業を担当すべき職責の作業員を特定する処理と、前記特定した作業員が携帯する端末装置をネットワーク上で識別する端末装置識別データを取得する処理と、前記端末装置識別データを用いて、前記特定した作業員が携帯する端末装置に前記異常に応じた作業を示す作業データを送信する処理とを実行させるためのプログラムを持続的に記録するコンピュータ読み取り可能な記録媒体を提供する。
【手続補正６】
【補正対象書類名】明細書
【補正対象項目名】００１７
【補正方法】変更
【補正の内容】
【００１７】
また、本発明は、サーバ装置が、船舶に滞在している複数の作業員の各々に関し、当該作業員の職責を示す職責データを取得するステップと、前記サーバ装置が、前記船舶に配置された複数の装置の各々の状態を示す装置状態データを取得するステップと、前記サーバ装置が、前記装置状態データが前記複数の装置のいずれかの異常を示す場合、前記異常に対処するための複数の作業を手順として示す手順データを取得するステップと、前記サーバ装置が、前記装置状態データが前記複数の装置のいずれかの異常を示す場合、前記職責データに基づき、前記手順データが示す複数の作業の各々に関し当該作業を担当すべき職責の作業員を特定するステップと、前記サーバ装置が、前記特定した作業員が携帯する端末装置をネットワーク上で識別する端末装置識別データを取得するステップと、前記サーバ装置が、前記端末装置識別データを用いて、前記特定した作業員が携帯する端末装置に前記異常に応じた作業を示す作業データを送信するステップとを備える作業管理方法を提供する。
【国際調査報告】
2016098198.tif 000022
2016098198.tif 000023
2016098198.tif 000024
2016098198.tif 000025